(57)【要約】【課題】音声の収録時に、追っかけ再生の開始を早め、収録の作業性を向上させることが可能な映像蓄積装置を提供する。【解決手段】映像蓄積装置において、音声データは、ＮＡＮＤフラッシュメモリにより構成された蓄積部１の書き込み動作との時間的な整合を取るため、書き込み用バッファメモリ２に一時保持される。このとき、書き込み用バッファメモリ２に４フレーム分の音声データが蓄積されると、制御部３の指示により、１６．７フレーム分のダミーデータが付与される。これにより、書き込み用バッファメモリ２に蓄積されている音声データは、蓄積部１の書き込み単位である１ページ分の素材データとなり、蓄積部１に書き込まれる。【選択図】      図１
2008236187.tif 000002
【特許請求の範囲】
【請求項１】
ページ単位で書き込まれる複数の不揮発性メモリを用いて、映像による広帯域素材と映像以外の音声を含む狭帯域素材が混在する素材データを蓄積する映像蓄積装置において、
複数ページ分の容量を有し、外部から入力される前記素材データが１ページ以上溜まると１ページ分のデータを出力するバッファメモリと、
前記複数の不揮発性メモリからなり、前記バッファメモリから出力される１ページ分の素材データを順次蓄積する蓄積部と、
前記蓄積部に対して前記複数の不揮発性メモリをページ単位で選択的に能動状態に制御し、前記バッファメモリに対して前記素材データの出力を制御する制御部と
を具備し、
前記制御部は、前記素材データが音声データであるときに、前記バッファメモリ内に蓄積される音声データが１ページ分の容量になる前に周期的にダミーデータを付与し、１ページに満たない前記音声データを１ページ分の素材データとすることを特徴とする映像蓄積装置。
【請求項２】
前記制御部は、前記蓄積部に当該蓄積部に蓄積している素材データの読み出しを制御し、
前記バッファメモリは、前記蓄積部から読み出される素材データを一時的に保存して外部に出力することを特徴とする請求項１に記載の映像蓄積装置。
【請求項３】
ページ単位で書き込まれる不揮発性メモリを用いて、映像による広帯域素材と映像以外の狭帯域素材が混在する素材データを蓄積する映像蓄積装置において、複数ページ分の容量を有し、外部から入力される前記素材データが１ページ以上溜まると１ページ分のデータを出力するバッファメモリと、複数の前記不揮発性メモリからなり、前記バッファメモリから出力される１ページ分の素材データを順次蓄積する蓄積部と、前記蓄積部に対して当該蓄積部の不揮発性メモリを能動状態に制御し、前記バッファメモリに対して前記素材データの出力を制御する制御部とを具備する映像蓄積装置に用いられ、
前記制御部は、前記素材データが音声データであるときに、バッファメモリ内に蓄積される音声データが１ページ分の容量になる前に周期的にダミーデータを付与し、１ページに満たない前記音声データを１ページ分の素材データとすることを特徴とする映像蓄積装置の制御方法。
【請求項４】
前記制御部は、前記蓄積部に当該蓄積部に蓄積している素材データの読み出しを制御し、
前記バッファメモリは、前記蓄積部から読み出される素材データを一時的に保存して外部に出力することを特徴とする請求項３に記載の映像蓄積装置の制御方法。
【発明の詳細な説明】
【技術分野】
【０００１】
本発明は、例えばＮＡＮＤフラッシュメモリのようにページ単位で書き込まれる不揮発性メモリを用いて、音声等の素材データを蓄積する映像蓄積装置とその制御方法に関する。
【背景技術】
【０００２】
不揮発性メモリであるＮＡＮＤフラッシュメモリは、大容量、低価格という特徴のため、デジタルカメラやデジタルオーディオプレイヤー等に多く使用されている。このように、ＮＡＮＤフラッシュメモリを民生用機器に用いる場合には問題なく使用できるが、放送用の映像蓄積装置に使用する場合には、ＮＡＮＤフラッシュメモリの書き込み速度の遅さ、および蓄積されている素材データの消去単位であるブロックの大きさが問題となっている。
【０００３】
従来の映像蓄積装置では、ＮＡＮＤフラッシュメモリの書き込み速度の遅さを補う方法として、複数個のＮＡＮＤフラッシュメモリを並列接続することが提案されている。しかしながら、複数個のＮＡＮＤフラッシュメモリを並列接続することにより、ＮＡＮＤフラッシュメモリへの書き込み単位であるページサイズがメモリＩＣ単体のときと比較して並列数倍の大きさになってしまう。例えば、１ページの容量が２，０４８Ｂ（Ｂはｂｙｔｅ）のＮＡＮＤフラッシュメモリを６４個並列接続すると、そのページサイズは１３１，０７２Ｂとなる。
【０００４】
通常放送で使用される音声は、４８ｋＨｚ１６ｂｉｔステレオであるため、１秒間のデータ量は、１９２ｋＢ／ｓである。ＮＡＮＤフラッシュメモリにはページ単位でしか書き込めないため、ＮＡＮＤフラッシュメモリを６４個並列接続した映像蓄積装置にこの音声データを書き込むには、バッファに０．６８３秒分のデータを溜めてからでないと書き込めないことになる。
【０００５】
ところで、映像蓄積装置で素材データを収録する時には、収録後追っかけ再生をすぐに行い、素材データが正しく収録されているか否かを確認することが一般的である。しかしながら、上述の例では、音声は０．６８３秒分のデータを溜めた後でないと映像蓄積装置のＮＡＮＤフラッシュメモリにデータを書き込むことができないので、０．６８３秒後でないと追っかけ再生ができないことになる。なお、ここではＮＡＮＤフラッシュメモリへの書き込み時間に起因する遅延のみについて述べたが、実際の映像蓄積装置では他の要素による遅延もあるため、０．６８３秒よりも長い時間経過しないと追っかけ再生ができない。
【０００６】
また、上述の例では、６４個のＮＡＮＤフラッシュメモリを並列接続したが、高速レートの映像を蓄積する場合には６４個よりも多くのＮＡＮＤフラッシュメモリを並列接続しなければならない。これにより、ページサイズはさらに大きくなるため、追っかけ再生を開始するには、上記の０．６８３秒よりも長い時間待たなくてはならない。追っかけ再生開始までの時間が長くなることにより、ユーザによる収録開始から追っかけ再生までの一連の「収録」の作業性が悪くなる。
【０００７】
なお、入力アドレスで指定された所定のアドレスから任意のアドレスまでのデータが入力されると、その１ページ内のアドレスのデータレジスタの内容を所定の値に自動的に認定し、１ページより小さいサイズの書き込みを実行する際に１ページ分のデータを入力することなく書き込みを実行することができる半導体メモリが提案されている（例えば、特許文献１参照）。
【特許文献１】特開２００３−１７８５９１号公報
【発明の開示】
【発明が解決しようとする課題】
【０００８】
以上のように、従来のページ単位で素材データを書き込む不揮発性メモリを用いた映像蓄積装置では、広帯域の素材データと狭帯域の素材データとが混在している状況で、音声データを収録する際、音声データのデータ量の少なさ故、追っかけ再生の開始が遅れ、作業性の悪化を招いていた。
【０００９】
この発明は上記事情によりなされたもので、その目的は、広帯域の素材データと狭帯域の素材データとが混在している状況で、音声を収録する際に、追っかけ再生の開始を早くし、収録の作業性を向上させることが可能な映像蓄積装置とその制御方法を提供することにある。
【課題を解決するための手段】
【００１０】
上記目的を達成するため、本発明は、ページ単位で書き込まれる不揮発性メモリを用いて、映像による広帯域素材と映像以外の狭帯域素材が混在する素材データを蓄積する映像蓄積装置において、複数ページ分の容量を有し、外部から入力される前記素材データが１ページ以上溜まると１ページ分のデータを出力するバッファメモリと、複数の前記不揮発性メモリからなり、前記バッファメモリから出力される１ページ分の素材データを順次蓄積する蓄積部と、前記蓄積部に対して当該蓄積部の不揮発性メモリを能動状態に制御し、前記バッファメモリに対して前記素材データの出力を制御する制御部とを具備し、前記制御部は、前記素材データが音声データであるときに、バッファメモリ内に蓄積される音声データが１ページ分の容量になる前に周期的にダミーデータを付与し、１ページに満たない前記音声データを１ページ分の素材データとする。
【００１１】
このような手段を講じることにより、素材データが音声データであるときに、バッファメモリに蓄積される１ページに満たない音声データに周期的にダミーデータを付加し、１ページ分の素材データとして順次蓄積部に書き込むようにしている。これにより、蓄積部へのページ単位の書き込みを短時間周期で行えるようになる。
【発明の効果】
【００１２】
この発明によれば、蓄積部へのページ単位の書き込みを短時間周期で行うことにより、音声の追っかけ再生の開始を早めることができる映像蓄積装置とその制御方法を提供することが可能となる
【発明を実施するための最良の形態】
【００１３】
以下、図面を参照しながら本発明の実施の形態について詳細に説明する。なお、実際の映像蓄積装置には、映像データと音声データの両方が蓄積されるが、追っかけ再生を開始するタイミングは音声データのデータ容量によって決まるため、以下では、映像蓄積装置における音声データの書き込み・読み出しについてのみ述べる。このとき、音声データは、４８ｋＨｚ１６ｂｉｔステレオであり、そのデータ量は、１９２ｋＢ／ｓである。
【００１４】
図１は、本発明の一実施形態に係る映像蓄積装置の機能構成を示すブロック図である。図１において、符号１は、蓄積部を示している。蓄積部１は、並列接続された６４個のＮＡＮＤフラッシュメモリを具備している。本実施例で用いられるＮＡＮＤフラッシュメモリの書き込み単位は１ページ（２，０４８Ｂ）であり、６４個のＮＡＮＤフラッシュメモリを並列接続することにより、蓄積部１のページサイズは１３１，０７２Ｂとなる。
【００１５】
収録が開始されると、音声データは、書き込み用バッファメモリ２に入力され、この書き込み用バッファメモリ２で蓄積部１の書き込み動作との時間的な整合をとるため一時保持された後、制御部３の指示により蓄積部１に書き込まれる。
【００１６】
また、蓄積部１のＮＡＮＤフラッシュメモリに書き込まれた音声データは、制御部３の指示により読み出され、読み出し用バッファメモリ４で一時保持された後、外部に出力される。
【００１７】
図２は、本発明の一実施形態に係る書き込み用バッファメモリ２における音声データの蓄積例を示す概念図である。
【００１８】
書き込み用バッファメモリ２は、複数ページ分の容量を持ち、先頭アドレスから順次書き込まれ、最終アドレスまで行くと先頭アドレスに戻るリングバッファとなっている。音声データのデータ量は１９２ｋＢ／ｓであるため、書き込み用バッファメモリ２が１ページ分の音声データを溜めるには、０．６８３秒（約２０．７フレーム）かかる。
【００１９】
本実施例では、４フレーム分の音声データが書き込み用バッファメモリ２に蓄積されると、制御部３の指示により、１６．７フレーム分のダミーデータが付加され、１ページ分の素材データとして、蓄積部１のＮＡＮＤフラッシュメモリに出力される。これにより、４フレーム周期でＮＡＮＤフラッシュメモリに音声データを書き込むことが可能となる。また、この場合、収録開始から４フレーム後に最初のＮＡＮＤフラッシュメモリへの書き込みが終わるので、映像蓄積装置において他の要因がなければ、５フレーム後から追っかけ再生ができることとなる。
【００２０】
４フレーム分の音声データに１６．７フレーム分のダミーデータを付加することにより、音声データにおけるメモリの使用効率は４／２０．７（約１９％）に低下するが、映像蓄積装置において主に使用されるのは映像データであるため、全体のメモリ使用率の低下はわずかである。５０Ｍｂｐｓの映像と音声を各１素材ずつ等時間収録する例では、メモリの使用率は約９７％であり、実運用上は映像１素材と音声４素材を組で収録する場合が多くこの時は８３％となる。
【００２１】
次に、上記構成における制御部３の処理動作を説明する。
【００２２】
図３は、上記一実施形態に係る制御部３による蓄積部１への音声データの書き込み処理を示すフローチャートである。
【００２３】
収録が開始されると、書き込み用バッファメモリ２に音声データが入力される。
【００２４】
制御部３は、この入力により書き込み用バッファメモリ２に４フレーム分の音声データが蓄積されたか否かの判断をする（ステップＳＴ３ａ）。４フレーム分の音声データが蓄積された場合（ステップＳＴ３ａのＹｅｓ）、書き込み用バッファメモリ２へ４フレーム分の音声データに１６．７フレーム分のダミーデータを付加する旨の信号を送る（ステップＳＴ３ｂ）。この処理により、書き込み用バッファメモリに蓄積された４フレーム分の音声データは、１ページ分の素材データとなる。
【００２５】
続いて、蓄積部１に書き込みコマンド信号およびＮＡＮＤフラッシュメモリにおける書き込みブロックのアドレスを入力する（ステップＳＴ３ｃ）。書き込みコマンド信号が蓄積部１に与えられると、書き込み用バッファメモリ２から１ページ分の素材データが出力され、アドレスで示されたＮＡＮＤフラッシュメモリのブロックに書き込まれる。
【００２６】
次に書き込み処理を停止するか否かを判断し（ステップＳＴ３ｄ）、停止する場合（ステップＳＴ３ｄのＹｅｓ）、一連の処理動作を終了する。停止しない場合（ステップＳＴ３ｄのＮｏ）、ＳＴ３ａに移行し、書き込み処理を継続する。
【００２７】
図４は、上記一実施形態に係る制御部３による蓄積部１からの音声データの読み出し処理を示すフローチャートである。
【００２８】
制御部３は、蓄積部１に読み出しコマンドおよびアドレスを入力し（ステップＳＴ４ａ）、読み出し用バッファメモリ４に出力信号を入力する（ステップＳＴ４ｂ）。これにより、読み出し用バッファメモリ４から外部に音声データが出力される。なお、蓄積部１からの読み出しは、ページ単位ではなく、必要なデータのみを読み出せるので、付加したダミーデータは読み出す必要はなく、読み出し時間に無駄が出るということはない。
【００２９】
以上のように、書き込み用バッファメモリ２の構成は従来方式と同様であるが、従来方式は、入力された音声データを単純に書き込み用バッファメモリ２に書き込み、データ量が１ページ以上となったのを判断して蓄積部１に書き込むのに対し、本発明では４フレームごとにダミーデータを音声データに付加して強制的に蓄積部１に書き込む方式をとる。これにより、蓄積部１へのページ単位の書き込みを短時間周期で行えるようになる。
【００３０】
したがって、音声の追っかけ再生の開始を早めることができるため、収録開始から追っかけ再生の終了時までという一連の「収録」の中で、作業性を向上させることが可能となる。
【００３１】
なお、この発明は上記実施形態に限定されるものではない。例えば上記実施形態では、６４個のＮＡＮＤフラッシュメモリを並列接続した蓄積部を用いる例について説明したが、もっと多くのＮＡＮＤフラッシュメモリを並列接続した蓄積部を用いる場合でも同様に実施可能である。このとき、映像蓄積装置のページサイズはさらに大きくなり、本発明の効果はより大きくなる。
【００３２】
さらに、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３３】
【図１】本発明に係る映像蓄積装置の一実施形態の構成を示すブロック図。
【図２】上記一実施形態の書き込み用バッファメモリにおける音声データの蓄積例を示す模式図。
【図３】上記一実施形態の制御部による蓄積部への音声データの書き込み処理を示すフローチャート。
【図４】上記一実施形態の制御部による蓄積部からの音声データの読み出し処理を示すフローチャート。
【符号の説明】
【００３４】
１…蓄積部、２…書き込み用バッファメモリ、３…制御部、４…読み出し用バッファメモリ。
【図１】
2008236187.tif 000003
【図２】
2008236187.tif 000004
【図３】
2008236187.tif 000005
【図４】
2008236187.tif 000006